(57)【特許請求の範囲】
【請求項１】
複数のＰＤＣＰ  ＰＤＵが連続するかどうかを決定するステップと、
前記複数のＰＤＣＰ  ＰＤＵが連続するときには前記複数のＰＤＣＰ  ＰＤＵを１つのＲＬＣ  ＰＤＵにマッピングするステップとを含み、前記複数のＰＤＣＰ  ＰＤＵのうちの第１のＰＤＣＰ  ＰＤＵのＰＤＣＰ  ＳＮが予約されるとともに、残りのＰＤＣＰ  ＰＤＵのＰＤＣＰ  ＳＮが削除され、さらに、
前記複数のＰＤＣＰ  ＰＤＵが連続することを示すために、ＲＬＣ  ＰＤＵのヘッダ内のフラグ・ビットを第１のプリセット値として設定するステップと、
前記複数のＰＤＣＰ  ＰＤＵが非連続であるときには前記複数のＰＤＣＰ  ＰＤＵを１つのＲＬＣ  ＰＤＵにマッピングするステップであって、前記複数のＰＤＣＰ  ＰＤＵのＰＤＣＰ  ＳＮがすべて予約されるステップと、
前記複数のＰＤＣＰ  ＰＤＵが非連続であることを示すために、前記ＲＬＣ  ＰＤＵのヘッダ内の前記フラグ・ビットを第２の現在値として設定するステップであって、１つのＰＤＣＰ  ＰＤＵの最後の部分が前記ＲＬＣ  ＰＤＵにマッピングされるときには、前記１つのＰＤＣＰ  ＰＤＵに続くＰＤＣＰ  ＰＤＵのＰＤＣＰ  ＳＮがＲＬＣ  ＳＤＵ内で予約されるとともに後続のＰＤＣＰ  ＰＤＵのＰＤＣＰ  ＳＮが削除されるステップと、を含む、データ送信方法。
【請求項２】
複数のＰＤＣＰ  ＰＤＵが連続するかどうかを決定するステップと、
前記複数のＰＤＣＰ  ＰＤＵが連続するときには前記複数のＰＤＣＰ  ＰＤＵを１つのＲＬＣ  ＰＤＵにマッピングするステップとを含み、前記複数のＰＤＣＰ  ＰＤＵのうちの第１のＰＤＣＰ  ＰＤＵのＰＤＣＰ  ＳＮが予約されるとともに、残りのＰＤＣＰ  ＰＤＵのＰＤＣＰ  ＳＮが削除され、さらに、
前記複数のＰＤＣＰ  ＰＤＵが連続することを示すために、ＲＬＣ  ＰＤＵのヘッダ内のフラグ・ビットを第１のプリセット値として設定するステップとを含み、
前記ＲＬＣ  ＰＤＵがＰＤＣＰ  ＰＤＵの１つのセグメントだけを含み、このセグメントが前記ＰＤＣＰ  ＰＤＵの第１のセグメントではないときには前記ＰＤＣＰ  ＰＤＵのＰＤＣＰ  ＳＮは前記ＲＬＣ  ＰＤＵ内に含まれない、データ送信方法。
【請求項３】
複数のＰＤＣＰ  ＰＤＵが連続するかどうかを決定するステップと、
前記複数のＰＤＣＰ  ＰＤＵが非連続であるときには前記複数のＰＤＣＰ  ＰＤＵをそれぞれのＲＬＣ  ＰＤＵにマッピングするステップとを含み、前記複数のＰＤＣＰ  ＰＤＵのＰＤＣＰ  ＳＮが予約され、さらに、
前記複数のＰＤＣＰ  ＰＤＵが連続するときには前記複数のＰＤＣＰ  ＰＤＵを１つのＲＬＣ  ＰＤＵにマッピングするステップを含み、前記複数のＰＤＣＰ  ＰＤＵのうちの第１のＰＤＣＰ  ＰＤＵのＰＤＣＰ  ＳＮが予約されるとともに、前記残りのＰＤＣＰ  ＰＤＵのＰＤＣＰ  ＳＮが削除される、データ送信方法であって、
１つのＰＤＣＰ  ＰＤＵの最後の部分が前記ＲＬＣ  ＰＤＵにマッピングされるときには、前記１つのＰＤＣＰ  ＰＤＵに続くＰＤＣＰ  ＰＤＵのＰＤＣＰ  ＳＮがＲＬＣ  ＳＤＵ内で予約されるとともに後続のＰＤＣＰ  ＰＤＵのＰＤＣＰ  ＳＮが削除されるステップ、および、
前記ＲＬＣ  ＰＤＵがＰＤＣＰ  ＰＤＵの１つのセグメントだけを含み、このセグメントが前記ＰＤＣＰ  ＰＤＵの第１のセグメントではないときには前記ＰＤＣＰ  ＰＤＵのＰＤＣＰ  ＳＮは前記ＲＬＣ  ＰＤＵ内に含まれないステップ、の少なくとも１つをさらに有するデータ送信方法。
【請求項４】
複数のＰＤＣＰ  ＰＤＵが連続するかどうかを決定する送信制御ユニットと、
前記複数のＰＤＣＰ  ＰＤＵが連続であるときには前記複数のＰＤＣＰ  ＰＤＵを１つのＲＬＣ  ＰＤＵにマッピングするマッピングユニットとを含み、前記複数のＰＤＣＰ  ＰＤＵの第１のＰＤＣＰ  ＳＮが予約されるとともに、前記複数のＰＤＣＰ  ＰＤＵの残りのＰＤＣＰ  ＳＮが削除されるマッピングユニットと、を備え、
前記送信制御ユニットは複数のＲＬＣ  ＰＤＵヘッダのフラグビットを、前記複数のＰＤＣＰＰＤＵが連続していることを表す第１のプリセット値として設定し、
１つのＰＤＣＰ  ＰＤＵの最後の部分が前記ＲＬＣ  ＰＤＵにマッピングされるべきときには、前記１つのＰＤＣＰ  ＰＤＵに続くＰＤＣＰ  ＰＤＵのＰＤＣＰ  ＳＮが前記ＲＬＣ  ＳＤＵ内で予約されるとともに前記後続のＰＤＣＰ  ＰＤＵのＰＤＣＰ  ＳＮが削除される、データ送信装置。
【請求項５】
複数のＰＤＣＰ  ＰＤＵが連続するかどうかを決定する送信制御ユニットと、
前記複数のＰＤＣＰ  ＰＤＵが連続であるときには前記複数のＰＤＣＰ  ＰＤＵを１つのＲＬＣ  ＰＤＵにマッピングするマッピングユニットとを含み、前記複数のＰＤＣＰ  ＰＤＵのＰＤＣＰ  ＳＮが予約されるマッピングユニットと、を備え、
前記送信制御ユニットは複数のＲＬＣ  ＰＤＵヘッダのフラグビットを、前記複数のＰＤＣＰＰＤＵが連続していることを表す第１のプリセット値として設定し、
前記ＲＬＣ  ＰＤＵがＰＤＣＰ  ＰＤＵの１つのセグメントだけを含み、このセグメントが前記ＰＤＣＰ  ＰＤＵの第１のセグメントではないときには前記ＰＤＣＰ  ＰＤＵのＰＤＣＰ  ＳＮは前記ＲＬＣ  ＰＤＵ内に含まれない、データ送信装置。
【請求項６】
前記マッピングユニットは、前記複数のＰＤＣＰ  ＰＤＵが非連続であるときには前記複数のＰＤＣＰ  ＰＤＵを１つのＲＬＣ  ＰＤＵにマッピングし、前記複数のＰＤＣＰ  ＰＤＵのＰＤＣＰ  ＳＮがすべて予約され、前記送信制御ユニットは複数のＲＬＣ  ＰＤＵヘッダのフラグビットを、前記複数のＰＤＣＰＰＤＵが非連続であることを表す第２のプリセット値として設定する、請求項４に記載のデータ送信装置。
【請求項７】
複数のＰＤＣＰ  ＰＤＵが連続するかどうかを決定するように適合された送信制御ユニットと、
前記複数のＰＤＣＰ  ＰＤＵが非連続であるときには前記複数のＰＤＣＰ  ＰＤＵをそれぞれのＲＬＣ  ＰＤＵにマッピングし、前記複数のＰＤＣＰ  ＰＤＵのＰＤＣＰ  ＳＮがすべて予約され、および前記複数のＰＤＣＰ  ＰＤＵが連続するときには前記複数のＰＤＣＰ  ＰＤＵを１つのＲＬＣ  ＰＤＵにマッピングするように適合されたマッピング・ユニットとを含み、前記複数のＰＤＣＰ  ＰＤＵのうちの第１のＰＤＣＰ  ＰＤＵのＰＤＣＰ  ＳＮが予約されるとともに、前記残りのＰＤＣＰ  ＰＤＵのＰＤＣＰ  ＳＮが削除される、データ送信装置であって、
１つのＰＤＣＰ  ＰＤＵの最後の部分が前記ＲＬＣ  ＰＤＵにマッピングされるときには、前記１つのＰＤＣＰ  ＰＤＵに続くＰＤＣＰ  ＰＤＵのＰＤＣＰ  ＳＮがＲＬＣ  ＳＤＵ内で予約されるとともに後続のＰＤＣＰ  ＰＤＵのＰＤＣＰ  ＳＮが削除されるステップ、および、
前記ＲＬＣ  ＰＤＵがＰＤＣＰ  ＰＤＵの１つのセグメントだけを含み、このセグメントが前記ＰＤＣＰ  ＰＤＵの第１のセグメントではないときには前記ＰＤＣＰ  ＰＤＵのＰＤＣＰ  ＳＮは前記ＲＬＣ  ＰＤＵ内に含まれないステップ、の少なくとも１つをさらに実行するデータ送信装置。
【請求項８】
前記マッピングユニットは、前記複数のＰＤＣＰ  ＰＤＵが非連続であるときには前記複数のＰＤＣＰ  ＰＤＵを１つのＲＬＣ  ＰＤＵにマッピングし、前記複数のＰＤＣＰ  ＰＤＵのＰＤＣＰ  ＳＮがすべて予約され、前記送信制御ユニットは複数のＲＬＣ  ＰＤＵヘッダのフラグビットを、前記複数のＰＤＣＰＰＤＵが非連続であることを表す第２のプリセット値として設定する、請求項５に記載のデータ送信装置。
【発明の詳細な説明】
【技術分野】
【０００１】
本発明は移動通信技術に関し、詳細には、無線通信システムにおける無線リソースの消費を減らすことができるデータ送信方法、データ受信方法、および対応する装置に関する。
【背景技術】
【０００２】
第３世代（３Ｇ）通信システム、および３Ｇ通信システムの発展において、ｅノードＢ（基地局とも呼ばれる）とＵＥ（ユーザ装置）との間のインタフェースは通常「Ｕｕ」インタフェースと呼ばれ、このインタフェースを介してユーザに関するデータが送受信される。
【０００３】
ｅノードＢ、およびＵＥの各側は、通常、パケット・データ収斂プロトコル（ＰＤＣＰ）層、無線リンク制御（ＲＬＣ）層、メディア・アクセス制御（ＭＡＣ）層、および物理層に分けられる。ＰＤＣＰ層、ＲＬＣ層、ＭＡＣ層は、開放型システム間相互接続（ＯＳＩ）ソリューションにおける第２層（Ｌ２層）の役割を果たし、物理層はＯＳＩソリューションにおける第１層（Ｌ１層）の役割を果たす。
【０００４】
ＰＤＣＰ層において送信されるデータは「ＰＤＣＰ  ＰＤＵ」と呼ばれ、シリアル・ナンバＳＮ、および「ＰＤＣＰ  ＳＤＵ」（ＰＤＣＰサービス・データ・ユニット）を含む。ＲＬＣ層において送信されるデータは「ＲＬＣ  ＰＤＵ」と呼ばれ、ＲＬＣヘッダ、および「データ部分」を含む。ＭＡＣ層において送信されるデータは「ＭＡＣ  ＰＤＵ」と呼ばれ、「ＭＡＣヘッダ」、および「ＭＡＣ  ＳＤＵ」を含む。
【０００５】
通常、それぞれのＰＤＣＰ  ＰＤＵはＰＤＣＰシリアル・ナンバ（ＰＤＣＰ  ＳＮ）を有する。このようなシリアル・ナンバは、受信側のＰＤＣＰが正常に作動すること、たとえば、ＵＥのＰＤＣＰ層が正確に作動することを保証できるので、受信側にとって必要である。図１はＰＤＣＰ  ＰＤＵとＲＬＣ  ＳＤＵとの間のマッピング関係を示している。このような場合、それぞれのＰＤＣＰ  ＰＤＵは、ＰＤＣＰ  ＳＮを含み、ＰＤＣＰ  ＳＤＵは１つのＲＬＣ  ＳＤＵにマッピングされる。連続するＲＬＣ  ＳＤＵは、連続するＰＤＣＰ  ＳＮを有する。一連のＲＬＣ  ＳＤＵは、１つのＲＬＣ  ＰＤＵに連続的にマッピングされる。つまり、それぞれがＰＤＣＰ  ＳＮを含む一連のＰＤＣＰ  ＰＤＵ、およびＰＤＣＰ  ＳＤＵは、１つのＲＬＣ  ＰＤＵにマッピングされる。
【０００６】
図１に示されるように、たとえば、ＰＤＣＰ  ＰＤＵは通常ＳＮ＿１などの必要なシリアル・ナンバ、およびＰＤＣＰ  ＳＤＵ  １などの必要なデータ部分を含み、そのＰＤＣＰ  ＰＤＵはＲＬＣ層内に送信されたデータ・ユニットの一部としてＲＬＣ層内にマッピングされる。
【０００７】
このような場合、送信側を例にとると、ユーザ・プレーン上の動作手順が図２に示されている。図２に示されるように、複数のＰＤＣＰ  ＰＤＵが１つのＲＬＣデータ・パケットのデータ部分にマッピングされ、たとえばロジカル・チャネル＿１内のＰＤＣＰ  ＰＤＵ＿１からＰＤＣＰ  ＰＤＵ＿ｎが、ＲＬＣ層データ・パケットのＲＬＣ  ＰＤＵとしてマッピングされる。言い換えれば、それぞれのＲＬＣ  ＰＤＵは、ＲＬＣヘッダ、および、複数のＰＤＣＰ  ＰＤＵによって形成されたＲＬＣ  ＰＤＵデータ部分を含む。
【０００８】
図２に示されるように、複数のＲＬＣ  ＰＤＵは、ＭＡＣ  ＰＤＵのＭＡＣ  ＳＤＵとしてＭＡＣ層内にマッピングされて、物理層内にさらに送信される。
【０００９】
したがって、ＰＤＣＰ  ＰＤＵが連続する場合、１つのＲＬＣ  ＰＤＵは多くの連続するＰＤＣＰ  ＳＮを含む。しかし、ＰＤＣＰ  ＰＤＵの連続性のため、第１のＲＬＣ  ＳＤＵのＰＤＣＰ  ＳＮが知られている場合は、後続のＲＬＣ  ＳＤＵのＰＤＣＰ  ＳＮを自動的に推定できる。言い換えれば、ＰＤＣＰ層からＲＬＣ層へのマッピング手順に冗長性があり、それが無線リソースの浪費につながっている。
【発明の概要】
【発明が解決しようとする課題】
【００１０】
上記の問題に鑑みて本発明が提案される。本発明の目的は、移動無線通信システムにおける無線リソースを節約できるデータ送信方法、データ受信方法、および対応する装置を提供することである。
【課題を解決するための手段】
【００１１】
本発明の一態様によれば、複数のＰＤＣＰ  ＰＤＵが連続するかどうかを決定するステップと、複数のＰＤＣＰ  ＰＤＵが連続する場合、複数のＰＤＣＰ  ＰＤＵを１つのＲＬＣ  ＰＤＵにマッピングするステップであって、複数のＰＤＣＰ  ＰＤＵのうちの第１のＰＤＣＰ  ＰＤＵのＰＤＣＰ  ＳＮが予約されるとともに、残りのＰＤＣＰ  ＰＤＵのＰＤＣＰ  ＳＮは削除される、ステップと、複数のＰＤＣＰ  ＰＤＵが連続することを示すために、ＲＬＣ  ＰＤＵのヘッダ内のフラグ・ビットを第１のプリセット値として設定するステップとを含む、データ送信方法が提供される。
【００１２】
本発明の一実施形態によれば、方法は、複数のＰＤＣＰ  ＰＤＵが非連続である場合、複数のＰＤＣＰ  ＰＤＵを１つのＲＬＣ  ＰＤＵにマッピングするステップであって、複数のＰＤＣＰ  ＰＤＵのＰＤＣＰ  ＳＮがすべて予約される、ステップと、複数のＰＤＣＰ  ＰＤＵが非連続であることを示すために、ＲＬＣ  ＰＤＵのヘッダ内のフラグ・ビットを第２の現在値として設定するステップとをさらに含む。
【００１３】
本発明の一実施形態によれば、１つのＰＤＣＰ  ＰＤＵの最後の部分がＲＬＣ  ＰＤＵにマッピングされる場合、１つのＰＤＣＰに続くＰＤＣＰ  ＰＤＵのＰＤＣＰ  ＳＮがＲＬＣ  ＳＤＵ内で予約されるとともに、残りのＰＤＣＰ  ＰＤＵのＰＤＣＰ  ＳＮが削除される。
【００１４】
本発明の一実施形態によれば、ＲＬＣ  ＰＤＵがＰＤＣＰ  ＰＤＵの１つのセグメントだけを含み、このセグメントがＰＤＣＰ  ＰＤＵの第１のセグメントではない場合、ＰＤＣＰ  ＰＤＵのＰＤＣＰ  ＳＮはＲＬＣ  ＰＤＵ内に含まれない。
【００１５】
本発明の他の態様では、ＲＬＣ  ＰＤＵのヘッダ内のフラグ・ビットが第１のプリセット値として設定されているか、または第２のプリセット値として設定されているかを決定するステップと、フラグ・ビットが第１のプリセット値として設定されている場合、ＲＬＣ  ＰＤＵ内に含まれる第１のＰＤＣＰ  ＰＤＵを除くそれぞれのＰＤＣＰ  ＰＤＵに連続的にＰＤＣＰ  ＳＮを追加するステップとを含む、データ受信方法が提供される。
【００１６】
本発明の一実施形態によれば、方法は、フラグ・ビットが第２のプリセット値として設定されている場合、ＲＬＣ  ＰＤＵ内に含まれるＰＤＣＰ  ＰＤＵのＰＤＣＰ  ＳＮに基づいてそれぞれのＰＤＣＰ  ＳＮを連続的に再開するステップをさらに含む。
【００１７】
本発明の他の態様によれば、複数のＰＤＣＰ  ＰＤＵが連続するかどうかを決定するステップと、複数のＰＤＣＰ  ＰＤＵが非連続である場合、複数のＰＤＣＰ  ＰＤＵをそれぞれのＲＬＣ  ＰＤＵにマッピングするステップであって、複数のＰＤＣＰ  ＰＤＵのＰＤＣＰ  ＳＮがすべて予約される、ステップと、複数のＰＤＣＰ  ＰＤＵが連続する場合、複数のＰＤＣＰ  ＰＤＵを１つのＲＬＣ  ＰＤＵにマッピングするステップであって、複数のＰＤＣＰ  ＰＤＵのうちの第１のＰＤＣＰ  ＰＤＵのＰＤＣＰ  ＳＮが予約されるとともに、残りのＰＤＣＰ  ＰＤＵのＰＤＣＰ  ＳＮが削除される、ステップとを含む、データ送信方法が提供される。
【００１８】
本発明の他の態様では、ＲＬＣ  ＰＤＵが少なくとも２つのＰＤＣＰ  ＰＤＵを含むかどうかを決定するステップと、ＲＬＣ  ＰＤＵが少なくとも２つのＰＤＣＰ  ＰＤＵを含む場合、ＲＬＣ  ＰＤＵ内に含まれる第１のＰＤＣＰ  ＰＤＵを除くそれぞれのＰＤＣＰ  ＰＤＵに連続的にＰＤＣＰ  ＳＮを追加するステップと、ＲＬＣ  ＰＤＵが少なくとも２つのＰＤＣＰ  ＰＤＵを含まない場合、それぞれのＰＤＣＰ  ＰＤＵをＲＬＣ  ＰＤＵから直接再開するステップとを含む、データ受信方法が提供される。
【００１９】
本発明の他の態様では、複数のＰＤＣＰ  ＰＤＵが連続するかどうかを決定するように適合された送信制御ユニットと、複数のＰＤＣＰ  ＰＤＵが連続する場合、複数のＰＤＣＰ  ＰＤＵを１つのＲＬＣ  ＰＤＵにマッピングするように適合されており、複数のＰＤＣＰ  ＰＤＵのうちの第１のＰＤＣＰ  ＰＤＵのＰＤＣＰ  ＳＮが予約されるとともに、残りのＰＤＣＰ  ＰＤＵのＰＤＣＰ  ＳＮが削除される、マッピング・ユニットとを含む、データ送信装置が提供される。送信制御ユニットは、複数のＰＤＣＰ  ＰＤＵが連続することを示すために、ＲＬＣ  ＰＤＵのヘッダ内のフラグ・ビットを第１のプリセット値として設定するように、さらに適合される。
【００２０】
本発明の一実施形態によれば、複数のＰＤＣＰ  ＰＤＵが非連続である場合、マッピング・ユニットが複数のＰＤＣＰ  ＰＤＵを１つのＲＬＣ  ＰＤＵにマッピングし、複数のＰＤＣＰ  ＰＤＵのＰＤＣＰ  ＳＮが予約される。送信制御ユニットは、複数のＰＤＣＰ  ＰＤＵが非連続であることを示すために、ＲＬＣ  ＰＤＵのヘッダ内のフラグ・ビットを第２のプリセット値として設定する。
【００２１】
本発明の他の態様では、ＲＬＣ  ＰＤＵのヘッダ内のフラグ・ビットが第１のプリセット値として設定されているか、または第２のプリセット値として設定されているかを決定するように適合された受信制御ユニットと、フラグ・ビットが第１のプリセット値として設定されている場合、ＲＬＣ  ＰＤＵ内に含まれる第１のＰＤＣＰ  ＰＤＵを除くそれぞれのＰＤＣＰ  ＰＤＵに連続的にＰＤＣＰ  ＳＮを追加するように適合された逆マッピング・ユニットとを含む、データ受信装置が提供される。
【００２２】
本発明の一実施形態によれば、フラグ・ビットが第２のプリセット値として設定されている場合、逆マッピング・ユニットはＲＬＣ  ＰＤＵ内に含まれるＰＤＣＰ  ＰＤＵのＰＤＣＰ  ＳＮに基づいてそれぞれのＰＤＣＰ  ＳＮを連続的に再開する。
【００２３】
本発明の他の態様では、複数のＰＤＣＰ  ＰＤＵが連続するかどうかを決定するように適合された送信制御ユニットと、複数のＰＤＣＰ  ＰＤＵが非連続である場合、複数のＰＤＣＰ  ＰＤＵをそれぞれのＲＬＣ  ＰＤＵにマッピングするように適合されており、複数のＰＤＣＰ  ＰＤＵのＰＤＣＰ  ＳＮがすべて予約され、および複数のＰＤＣＰ  ＰＤＵが連続する場合、複数のＰＤＣＰ  ＰＤＵを１つのＲＬＣ  ＰＤＵにマッピングするように適合されており、複数のＰＤＣＰ  ＰＤＵのうちの第１のＰＤＣＰ  ＰＤＵのＰＤＣＰ  ＳＮが予約されるとともに、残りのＰＤＣＰ  ＰＤＵのＰＤＣＰ  ＳＮが削除される、マッピング・ユニットとを含む、データ送信装置が提供される。
【００２４】
本発明の他の態様では、ＲＬＣ  ＰＤＵが少なくとも２つのＰＤＣＰ  ＰＤＵを含むかどうかを決定するように適合された受信制御ユニットと、ＲＬＣ  ＰＤＵが少なくとも２つのＰＤＣＰ  ＰＤＵを含む場合、ＲＬＣ  ＰＤＵ内に含まれる第１のＰＤＣＰ  ＰＤＵを除くそれぞれのＰＤＣＰ  ＰＤＵに連続的にＰＤＣＰ  ＳＮを追加し、ＲＬＣ  ＰＤＵが少なくとも２つのＰＤＣＰ  ＰＤＵを含まない場合、それぞれのＰＤＣＰ  ＰＤＵをＲＬＣ  ＰＤＵから直接再開するように適合された逆マッピング・ユニットとを含む、データ受信装置が提供される。
【００２５】
上述の構成があれば、受信側のＰＤＣＰ層が正確に作動することを保証しながら無線リソースを節約するために、電波インタフェースを介して膨大な冗長情報を送信することを避けることができる。
【００２６】
本発明の上記の諸特徴および諸利点は、図面と併せて以下の詳細な説明から明らかになるだろう。
【図面の簡単な説明】
【００２７】
【図１】ＰＤＣＰ  ＰＤＵとＲＬＣ  ＰＤＵとの間のマッピング関係を示す図である。
【図２】従来技術によるＬＴＥユーザ・プレーンの動作手順を示す図である。
【図３】本発明の一実施形態による、Ｕｕインタフェースを介してデータを送信するための手順を示す図である。
【図４】本発明の一実施形態による、Ｕｕインタフェースを介してデータを受信するための手順を示す図である。
【図５】本発明の一実施形態による、送信側の構造的概略図である。
【図６】本発明の一実施形態による、受信側の構造的概略図である。
【発明を実施するための形態】
【００２８】
以下で、図面を参照して本発明の実施形態の詳細な説明を行う。図面では、同じまたは同様の構成要素を示すために異なる図面を通じて同じ参照番号が使用される。本発明の要旨を不明瞭にしないように明快かつ簡単にするために、本明細書に含まれる知られた機能および構造の詳細な説明は省略する。
【００２９】
図３は、本発明の一実施形態による、Ｕｕインタフェースを介してデータを送信するための手順を示している。図３に示されるように、ＰＤＣＰ  ＰＤＵが連続する場合、一連のＰＤＣＰ  ＰＤＵのうちの第１のＰＤＣＰ  ＰＤＵだけがＲＬＣ  ＰＤＵに完全にマッピングされるとともに、後続のＰＤＣＰ  ＰＤＵのＰＤＣＰ  ＳＮは削除される。つまり、後続のＰＤＣＰ  ＰＤＵは、ＲＬＣ  ＳＤＵを形成するために第１のＰＤＣＰ  ＰＤＵに続いて連続的に連結される。
【００３０】
言い換えれば、ＰＤＣＰ層内の第１の連結された部分が完全なＲＬＣ  ＰＤＵを形成できる場合、そのＲＬＣ  ＰＤＵは第１のＰＤＣＰ  ＳＮだけを搬送して、残りのＰＤＣＰ  ＳＮは削除される。
【００３１】
ＰＤＣＰ層内の第１の連結された部分がＲＬＣ  ＰＤＵの最後の部分の場合、ＲＬＣ  ＰＤＵは第２の連結された部分のＰＤＣＰ  ＳＮを搬送して、後続のＰＤＣＰ  ＳＮは削除される。
【００３２】
したがって、上記の場合、ＲＬＣ  ＰＤＵのヘッダ内にフラグ・ビットとして１ビットが追加されてよく、そのフラグ・ビットはＰＤＣＰ  ＰＤＵが連続することを示すために１として設定される。このように、マッピングを実行するためにどの方法をとるか、フラグ・ビットの値に基づいて受信側で決定できる。
【００３３】
しかし、ＰＤＣＰ  ＰＤＵが非連続である場合、ＰＤＣＰ  ＰＤＵは従来の方法にしたがって処理される。具体的に言うと、いずれかのＰＤＣＰ  ＰＤＵのＰＤＣＰ  ＳＮを削除する代わりに、すべてのＰＤＣＰ  ＰＤＵが単一のＲＬＣ  ＰＤＵにマッピングされる。この場合、ＰＤＣＰ  ＰＤＵが非連続であることを受信側に示すために、ＲＬＣ  ＰＤＵのヘッダ内のフラグ・ビットが０として設定される。
【００３４】
さらに、ＲＬＣ  ＰＤＵが１つのＲＬＣ  ＳＤＵまたは他のセグメントだけを含む場合において、ＰＤＣＰ  ＳＮが第１のセグメントに含まれる、すなわちＲＬＣ  ＰＤＵが１つのセグメントだけを含み、このセグメントが元のＲＬＣ  ＳＤＵの第１のセグメントではない場合には、ＰＤＣＨ  ＳＮは必要ない。
【００３５】
図４は、本発明の一実施形態による、Ｕｕインタフェースを介してデータを送信するための手順を示している。図４に示されるように、受信したＲＬＣ  ＰＤＵが複数のＲＬＣ  ＰＤＵを含む場合、ＲＬＣ  ＰＤＵのヘッダ内のフラグ・ビットが１として設定されていることが検出されたときは、これはＰＤＣＰ  ＰＤＵが連続することを意味する。この場合、第１のＲＬＣ  ＳＤＵのＳＮが知られているので、第１のＲＬＣ  ＳＤＵを除くそれぞれのＲＬＣ  ＳＤＵに連続的にＳＮが追加される。しかし、ＲＬＣ  ＰＤＵのヘッダ内のフラグ・ビットが０として設定されていることが検出されたとき、これはＰＤＣＰ  ＰＤＵは連続的ではなく、それぞれのＰＤＣＰ  ＰＤＵがそれぞれのＳＮを搬送することを意味し、したがってＳＮは必要ない。
【００３６】
たとえば、フラグ・ビットが１として設定されている場合、受信側はＰＤＣＰ  ＰＤＵが連続することが分かる。図４に示されるように、ＲＬＣ  ＰＤＵを再構築後、第１のＲＬＣ  ＳＤＵを除くそれぞれのＲＬＣ  ＳＤＵに連続的にＳＮが追加される。第１のＲＬＣ  ＳＤＵがｎのＰＤＣＰ  ＳＮを有する場合、第２のＲＬＣ  ＳＤＵはｎ＋１のＰＤＣＰ  ＳＮを有し、第３のＲＬＣ  ＳＤＵはｎ＋２のＰＤＣＰ  ＳＮを有し、以下同様である。このように、すべてのＲＬＣ  ＳＤＵは連続的に再形成される。
【００３７】
電波インタフェースを介する送信の間の冗長情報の送信以来、無線リソースを節約できる。
【００３８】
上記は、どのようなセグメンテーションもない動作手順についての説明である。以下では、ＲＬＣ  ＰＤＵ内にセグメンテーションがある場合の受信側および送信側の動作手順を説明する。
【００３９】
ＲＬＣ  ＰＤＵが１つのＲＬＣ  ＳＤＵセグメントだけを含み、このセグメントが第１のセグメントではない場合、ＰＤＣＰ  ＳＮは必要ない。
【００４０】
第１の連結部分がＲＬＣ  ＳＤＵの最後のセグメントの場合、第２の連結部分に対応するＰＤＣＰ  ＳＮだけがＲＬＣ  ＰＤＵ内に含まれる。
【００４１】
しかし受信側は、これらの２つの特別なケースをＲＬＣ  ＰＤＵのヘッダ内のセグメンテーション情報によって見分けることができる。たとえば、ＲＬＣ  ＰＤＵのヘッダ内のセグメンテーション情報は、ＲＬＣ  ＳＤＵ内のセグメントは１つのＰＤＣＰ  ＰＤＵの第１のセグメントであること、すなわちこのセグメントはＰＤＣＰ  ＳＮを含むことを示す。さらに、ＲＬＣ  ＰＤＵのヘッダ内のセグメンテーション情報は、ＲＬＣ  ＳＤＵ内のセグメントは１つのＰＤＣＰ  ＰＤＵの最後のセグメントであることを示すこともできる。
【００４２】
上記の説明では、ＰＤＣＰ  ＰＤＵが連続するか非連続であるかがフラグ・ビットを使用して決定される。しかし、ＰＤＣＰ  ＰＤＵが連続するか非連続であるかを、フラグ・ビットを使用せずに決定することが可能である。
【００４３】
たとえば、ＲＬＣ  ＰＤＵが１つのＲＬＣ  ＳＤＵまたは他のセグメントだけを含む場合、ＰＤＣＰ  ＰＤＵが連続するか非連続であるかを示すためにＲＬＣ  ＰＤＵのヘッダ内にフラグ・ビットを追加する必要はない。これは、後者の場合は、すべてのＲＬＣ  ＳＤＵをそれぞれのＰＤＣＰ  ＳＮとともに異なるＲＬＣ  ＰＤＵにマッピングできるからである。
【００４４】
ＲＬＣ  ＰＤＵが２つ以上のＲＬＣ  ＳＤＵまたは他のセグメントを含む場合、受信側は、ＰＤＣＰ  ＰＤＵは必ず連続していることが分かり、それによって異なるＲＬＣ  ＰＤＵに連続的にＰＤＣＰ  ＳＮを追加する。
【００４５】
このように、受信側はＰＤＣＰ  ＰＤＵが連続するか非連続であるかを見分けることができる。前者の場合、それぞれのＰＤＣＰ  ＰＤＵのＰＤＣＰ  ＳＮが電波インタフェースを使用せずに送信され、それによって無線リソースを節約する。
【００４６】
たとえば、ＰＤＣＰ  ＳＮが１１ビットを占有し、Ｎ個のＲＬＣ  ＰＤＵが１つのＭＡＣ  ＰＤＵにマッピングされ、Ｎｉ個のＲＬＣ  ＳＤＵが各ＲＬＣ  ＰＤＵ内でそれぞれ連結されると仮定すると、全体で
【数１】
0005478487.tif 000002
ビットが節約される。
【００４７】
図５は、本発明の一実施形態による、送信側の構造的概略図を示している。図５に示されるように、本発明の実施形態による送信側１０が、送信制御ユニット１１およびマッピング・ユニット１２とともに提供される。
【００４８】
一連のＰＤＣＰ  ＰＤＵが送信制御ユニット１１内に入力され、送信制御ユニット１１が、ＲＬＣ  ＰＤＵが少なくとも２つのＲＬＣ  ＳＤＵを含むかどうかを決定する。
【００４９】
ＲＬＣ  ＰＤＵが少なくとも２つのＲＬＣ  ＳＤＵを含む場合、これらのＲＬＣ  ＳＤＵが連続する場合は、マッピング・ユニット１２はＲＬＣ  ＰＤＵ内に含まれる複数のＲＬＣ  ＳＤＵのうちの第１のＲＬＣ  ＳＤＵのＰＤＣＰ  ＳＮだけを予約するとともに、後続のＲＬＣ  ＳＤＵのＰＤＣＰ  ＳＮを削除する。言い換えれば、マッピング・ユニット１２は、複数のＲＬＣ  ＰＤＵのＰＤＣＰ  ＳＵＤを連結するとともに、これらのＰＤＣＰ  ＳＤＵのうちの第１のＰＤＣＰのＳＮだけを予約する。
【００５０】
しかし、第１の連結部分がＲＬＣ  ＳＤＵの最後のセグメントの場合、マッピング・ユニット１２はＲＬＣ  ＰＤＵに第２の連結部分のＰＤＣＰ  ＳＮを搬送させるとともに、後続のＰＤＣＰ  ＳＮを削除する。
【００５１】
さらに、送信制御ユニット１１は、ＰＤＣＰ  ＰＤＵが連続することを受信側に示すためにＲＬＣ  ＰＤＵのヘッダ内のフラグ・ビットを１として設定できる。
【００５２】
一方、これらのＲＬＣ  ＳＤＵが非連続である場合、マッピング・ユニット１２は、１つのＲＬＣ  ＰＤＵ内のすべてのＰＤＣＰ  ＰＤＵをどのＰＤＣＰ  ＳＮも削除せずに連結できる。さらに、送信制御ユニット１１は、ＰＤＣＰ  ＰＤＵが非連続であることを受信側に通知するためにＲＬＣ  ＰＤＵのヘッダ内のフラグ・ビットを０として設定できる。この場合、ＰＤＣＰ  ＳＮは削除されない。
【００５３】
ＲＬＣ  ＰＤＵが１つのＲＬＣ  ＳＤＵまたは他のセグメントだけを含む場合、上述のように、ＲＬＣ  ＰＤＵヘッダはセグメント情報を有するので、ＲＬＣ  ＰＤＵのヘッダ内のフラグ・ビットを使用する必要はない。
【００５４】
同様に、ＰＤＣＰ  ＰＤＵが非連続である場合、異なるＰＤＣＰ  ＳＤＵを別々のＰＤＣＰ  ＳＮとともに対応するＲＬＣ  ＰＤＵにそれぞれマッピングできる。この場合、ＰＤＣＰ  ＰＤＵが連続するかどうかを受信側に通知する必要はない。
【００５５】
図６は、本発明の一実施形態による、受信側の構造的概略図を示している。図６に示されるように、ＭＡＣ層から分解されたＲＬＣ  ＰＤＵは、後続の処理を容易にするために、対応する論理チャネルのためのデータ・パケットとしてさらに分解されることになる。本発明の実施形態による受信側２０が、受信制御ユニット２１および逆マッピング・ユニット２２とともに提供される。
【００５６】
受信制御ユニット２１は、ＭＡＣ層からＲＬＣ  ＰＤＵを受信後、まずＲＬＣ  ＰＤＵのヘッダ内のフラグ・ビットが１として設定されているか、または０として設定されているかを決定する。
【００５７】
フラグ・ビットが１として送られる場合、これはＰＤＣＰ  ＰＤＵが連続することを意味する。すなわち、ＲＬＣ  ＰＤＵは、第１のＰＤＣＰ  ＰＤＵのＰＤＣＰ  ＳＮだけを含む。次いで、逆マッピング・ユニット２２は、それぞれのＰＤＣＰ  ＰＤＵに、第１のＰＤＣＰ  ＰＤＵに続いて連続的にＰＤＣＰ  ＳＮを追加する。
【００５８】
フラグ・ビットが０として設定されている場合、これはＰＤＣＰ  ＰＤＵが非連続であることを意味する。すなわち、ＲＬＣ  ＰＤＵは，それぞれのＰＤＣＰ  ＰＤＵおよび対応するＰＤＣＰ  ＳＮを含む。したがって、ＰＤＣＰ  ＳＮは必要ない。
【００５９】
上述は、ＰＤＣＰ  ＰＤＵが連続せず、また複数のＰＤＣＰ  ＰＤＵを１つのＲＬＣ  ＰＤＵにマッピングすることができる場合を説明する。しかし、ＰＤＣＰ  ＰＤＵが非連続であるが、複数のＰＤＣＰ  ＰＤＵを１つのＲＬＣ  ＰＤＵにマッピングする代わりにそれぞれのＰＤＣＰ  ＰＤＵを対応するＲＬＣ  ＰＤＵに１対１の方法でマッピングすることしかできない場合、フラグ・ビットを使用する必要はない。これは、一旦受信制御ユニット２１がＲＬＣ  ＰＤＵは複数のＰＤＣＰ  ＰＤＵを含むことが分かると、これはＰＤＣＰ  ＰＤＵは連続しており、対応するＰＤＣＰ  ＳＮを追加する必要があることを意味するからである。
【００６０】
上述のように、受信側はＰＤＣＰ  ＰＤＵが連続するかどうかを見分けることができる。ＰＤＣＰ  ＰＤＵが連続する場合、それぞれのＰＤＣＰ  ＰＤＵのＰＤＣＰ  ＳＮは電波インタフェースを使用せずに送信され、無線リソースを節約できる。
【００６１】
上述の説明は、本発明を実現するための実施形態だけを提供する。本発明の範囲内で行われるどのような変更形態、または部分的代用も、添付の特許請求の範囲によって定義される本発明の範囲内に入ることが、当業者によって理解されるべきである。したがって、本発明の範囲は、特許請求の範囲と一致するものとする。
【図１】
0005478487.tif 000003
【図２】
0005478487.tif 000004
【図３】
0005478487.tif 000005
【図４】
0005478487.tif 000006
【図５】
0005478487.tif 000007
【図６】
0005478487.tif 000008